(57)【特許請求の範囲】
【請求項１】
内周面一端側の雌ねじ部、この雌ねじ部より他端側に半径方向内方に突出する環状突起、および、この環状突起より他端側の内周面部を備えた雌型コネクタとしての袋ナットと、外部導体および中心導体の各端部が外部に露出している同軸ケーブルと、において、
前記袋ナットの環状突起の上面に前記同軸ケーブルの外部導体の端部が半径方向外向きに押し広げられて係合している状態で前記袋ナットの他端側内周面部が当該同軸ケーブルの端部外周面部に外嵌装着されている前記袋ナットを、前記同軸ケーブルの前記端部から引き抜くコネクタ引抜方法であって、
治具本体と、前記治具本体の下面に設けられて外周面に前記袋ナットの雌ねじ部に螺合可能な雄ねじ部とを有したコネクタ引抜治具を準備する第１の工程と、
前記コネクタ引抜治具の雄ねじ部を前記袋ナットの雌ねじ部にねじ込んでいく第２の工程と、
前記ねじ込みによって、前記コネクタ引抜治具の雄ねじ部の下端面が前記同軸ケーブルの中心導体の上端面に当接した以降も前記ねじ込みを継続して、前記中心導体を前記ねじ込みの方向に押し込む第３の工程と、
前記ねじ込みの方向への前記中心導体の押し込みで、前記袋ナットを前記コネクタ引抜治具に相対的に接近させていく過程で、前記環状突起により前記外部導体の端部を当該環状突起よりも半径方向内側に折り畳む第４の工程と、
前記折り畳み後も、前記ねじ込みを継続することによって前記袋ナットを前記同軸ケーブルの端部から引き抜く第５の工程と、
を具備したことを特徴とするコネクタ引抜方法。
【請求項２】
前記中心導体は、軸方向に中空部を有し、
前記コネクタ引抜治具は、前記雄ねじ部の下面に前記中心導体の前記中空部に軸方向に挿入可能な突起部を有し、
前記中心導体は、前記第２ないし第４の工程で、前記コネクタ引抜治具によってねじ込み方向に押し込まれる際、その中空部に、前記コネクタ引抜治具の前記突起部が挿入されて軸方向姿勢が維持された状態で押し込まれる、ことを特徴とする請求項１に記載の方法。
【請求項３】
前記コネクタ引抜治具は、前記雄ねじ部の下面に前記中心導体の挿入が可能な中空部を有する突起部を有し、
前記中心導体は、前記第２ないし第４の工程で前記コネクタ引抜治具によってねじ込み方向に押し込まれる際、前記コネクタ引抜治具が有する前記突起部の前記中空部に挿入されて軸方向姿勢が維持された状態で押し込まれる、ことを特徴とする請求項１に記載の方法。
【請求項４】
請求項１ないし３のいずれかに記載の方法に用いるコネクタ引抜治具であって、治具本体と、前記治具本体の下面に設けられて外周面に前記袋ナットの雌ねじ部に螺合可能な雄ねじ部と、を具備したことを特徴とするコネクタ引抜治具。
【発明の詳細な説明】
【技術分野】
【０００１】
本発明は、情報機器、通信機器、等に用いられる同軸ケーブルの端部に装着されたコネクタを引き抜くコネクタ引抜方法、および、これに用いるコネクタ引抜治具に関する。
【背景技術】
【０００２】
図１３を参照して、１は同軸ケーブルであり、２は、同軸ケーブル１の端部に装着されている雌型コネクタとしての袋ナットである。
【０００３】
同軸ケーブル１は、管状導管からなる中心導体３と、この中心導体３の外周に形成された絶縁体４と、この絶縁体４の外周に形成された外部導体５と、この外部導体５の外周に被覆された絶縁外皮６と、を備える。
【０００４】
同軸ケーブル１には、その端部外周に、袋ナット２が、雌型コネクタとして装着される。袋ナット２は、内周面の軸方向途中に半径方向内方に突出する環状突起７を有している。袋ナット２の環状突起７から軸方向下方の内周面に、シールリング８を装着するための環状凹部９が形成されている。袋ナット２の環状突起７より上部側の内周面に雌ねじ部１０が形成されている。
【０００５】
袋ナット２の環状突起７の下端面７ａは、絶縁外皮６の上端面の受け座となる。袋ナット２の環状突起７の上面７ｂは、半径方向内方へ軸方向下方に向けて傾斜したテーパ面となって、袋ナット２に挿入される雄型コネクタ４０との連結面となっている。
【０００６】
同軸ケーブル１の端部への袋ナット２の装着方法を説明する。
【０００７】
同軸ケーブル１の端部から絶縁外皮６と外部導体５と絶縁体４とを、所定長さ分、除去して、同軸ケーブル１の端部に中心導体３と外部導体５とを露出させる。
【０００８】
次いで、袋ナット２を、その環状凹部９にシールリング(Ｏリング)８を挿入した状態で、袋ナット２の軸方向下端部を同軸ケーブル１の端部外周に外嵌していき、袋ナット２の環状突起７の下端面７ａを、同軸ケーブル１の絶縁外皮６の上端面に当接させる。
【０００９】
次いで、絶縁外皮６の上端面より軸方向上方に突出している外部導体５の端部５ａを半径方向外側に環状に押し広げるように折り曲げて、環状突起７の上面７ｂに係合させる。
【００１０】
次いで、雄型コネクタ４０を袋ナット２に挿入する。
【００１１】
この場合、雄型コネクタ４０は、中心導体３に接続される中心側コネクタ部分(図示略)と、外部導体５に接続される外周側コネクタ部分４１とを有する。外周側コネクタ部分４１は、その外周面がねじ切りされて雄ねじ部になっていると共に、下端面角部４２が、袋ナット２の環状突起７の上面７ｂのテーパ形状に対応するテーパ面となっている。
【００１２】
雄型コネクタ４０の外周側コネクタ部分４１を袋ナット２の雌ねじ部１０にねじ込んでいくと、雄型コネクタ４０の外周側コネクタ部分４１の下端面角部４２と袋ナット２の環状突起７の上面７ｂとの間に外部導体５の端部５ａが挟み込まれ、これによって、雄型コネクタ４０の外周側コネクタ部分４１は外部導体５に連結接続される。一方、雄型コネクタ４０の中心側コネクタ部分は、図示しないが、同軸ケーブル１の中心導体３に連結接続される。
【００１３】
そして、雄型コネクタ４０を袋ナット２から取り外し、次いで、同軸ケーブル１の端部から雌型コネクタである袋ナット２を引き抜く場合、同軸ケーブル１の外部導体５の端部５ａは、環状突起７の上面７ｂに押し広げられた状態で係合しているので、作業者が、手指で外部導体５の端部５ａを引き起こして袋ナット２を引き抜くことは困難である。
【００１４】
そのため、従来では、マイナスドライバー等で、同軸ケーブル１の外部導体５の端部５ａを半径方向内方に、一旦、起こした状態に折り畳み、それから、袋ナット２を同軸ケーブル１の端部から引き抜くようにしている。
【００１５】
なお、従来の同軸ケーブルの端部に装着されるコネクタとして、下記の特許文献を挙げることができる。
【先行技術文献】
【特許文献】
【００１６】
【特許文献１】特開２０１３−１６１７４７号公報
【発明の概要】
【発明が解決しようとする課題】
【００１７】
しかしながら、袋ナット２の環状突起７の上面７ｂは、その全周に外部導体５の端部５ａが覆い被さった状態で係合しているために、環状突起７の上面７ｂからマイナスドライバーで同軸ケーブル１の外部導体５の端部５ａを半径方向内方に引き起こすとしても、その引き起こし作業は容易ではなく、かつ、その引き起こしに相当な時間がかかる。さらには、マイナスドライバーの先端部で、袋ナット２の雌ねじ部１０が傷付き易い。
【００１８】
本発明は、上記課題に鑑みてなされたものであり、袋ナットの雌ねじ部を傷つけることなく、袋ナットを同軸ケーブルの端部から容易にかつ簡単に引き抜くことができるコネクタ引抜方法およびこれを用いたコネクタ引抜治具を提供することを目的とする。
【課題を解決するための手段】
【００１９】
上記課題を解決するため、本発明は、以下の手段を提供する。
【００２０】
本発明に係るコネクタ引抜方法は、内周面一端側の雌ねじ部、この雌ねじ部より他端側に半径方向内方に突出する環状突起、および、この環状突起より他端側の内周面部を備えた雌型コネクタとしての袋ナットと、外部導体および中心導体の各端部が外部に露出している同軸ケーブルとにおいて、
前記袋ナットの環状突起の上面に前記同軸ケーブルの外部導体の端部が半径方向外向きに押し広げられて係合している状態で前記袋ナットの他端側内周面部が当該同軸ケーブルの端部外周面部に外嵌装着されている前記袋ナットを、前記同軸ケーブルの前記端部から引き抜くコネクタ引抜方法であって、
治具本体と、前記治具本体の下面に設けられて外周面に前記袋ナットの雌ねじ部に螺合可能な雄ねじ部とを有したコネクタ引抜治具を準備する第１の工程と、
前記コネクタ引抜治具の雄ねじ部を前記袋ナットの雌ねじ部にねじ込んでいく第２の工程と、
前記ねじ込みによって、前記コネクタ引抜治具の雄ねじ部の下端面が前記同軸ケーブルの中心導体の上端面に当接した以降も前記ねじ込みを継続して、前記中心導体を前記ねじ込みの方向に押し込む第３の工程と、
前記ねじ込みの方向への前記中心導体の押し込みで、前記袋ナットを前記コネクタ引抜治具に相対的に接近させていく過程で、前記環状突起により前記外部導体の端部を当該環状突起よりも半径方向内側に折り畳む第４の工程と、
前記折り畳み後も、前記ねじ込みを継続することによって前記袋ナットを前記同軸ケーブルの端部から引き抜く第５の工程と、を具備したことを特徴とする。
【００２１】
なお、前記第１の工程において、コネクタ引抜治具の準備とは、同軸ケーブルの端部から袋ナットを引き抜く位置に、コネクタ引抜治具を配置する準備である。
【００２２】
なお、袋ナットの環状突起の上面は、テーパ面に限定されるものではなく、平坦な面、その他の面形状を含む。
【００２３】
なお、中心導体は、中実な導体であっても、中空部を有した導体であってよい。
【００２４】
好ましくは、前記中心導体は、軸方向に中空部を有し、前記コネクタ引抜治具は、前記雄ねじ部の下面に前記中心導体の前記中空部に軸方向に挿入可能な突起部を有し、前記中心導体は、前記第２ないし第４の工程で、前記コネクタ引抜治具によってねじ込み方向に押し込まれる際、その中空部に、前記コネクタ引抜治具の突起部が挿入されて軸方向姿勢が維持された状態で押し込まれるようにする。
【００２５】
好ましくは、前記コネクタ引抜治具は、前記雄ねじ部の下面に前記中心導体の挿入が可能な中空部を有する突起部を有し、前記中心導体は、前記第２ないし第４の工程で前記コネクタ引抜治具によってねじ込み方向に押し込まれる際、前記コネクタ引抜治具が有する前記突起部の中空部に挿入されて軸方向姿勢が維持された状態で押し込まれるようにする。
【発明の効果】
【００２６】
本発明によれば、袋ナットの雌ねじ部を傷つけることなく、袋ナットを同軸ケーブルの端部から容易にかつ簡単に引き抜くことができる。
【図面の簡単な説明】
【００２７】
【図１】本発明の実施形態に係るコネクタ引抜治具の斜視図。
【図２】操作治具の斜視図。
【図３】コネクタ引抜治具に操作治具を取り付けた斜視図。
【図４】図１のコネクタ引抜治具を用いたコネクタ引抜方法の説明に供する同軸ケーブルと、袋ナットと、コネクタ引抜治具との配置を示す各断面図である。
【図５】図４の状態からコネクタ引抜治具を袋ナットに挿入した状態を示す断面図である。
【図６】図５の状態からコネクタ引抜治具をさらに袋ナットに挿入した状態を示す断面図である。
【図７】図６の状態からコネクタ引抜治具をさらに袋ナットに挿入した状態を示す断面図である。
【図８】図７の状態からコネクタ引抜治具をさらに袋ナットに挿入して袋ナットが引き抜かれた同軸ケーブルの断面図である。
【図９】他の実施形態に係るコネクタ引抜方法の説明に供するもので、同軸ケーブルから袋ナットを引き抜く前の断面図。
【図１０】図９に対応するもので、袋ナットの引き抜き過程の断面図。
【図１１】さらに他の実施形態に係るコネクタ引抜方法の説明に供するもので、同軸ケーブルから袋ナットを引き抜く前の断面図。
【図１２】図１１に対応するもので、袋ナットの引き抜き過程の断面図。
【図１３】従来のコネクタ引抜方法の説明に供する断面図。
【発明を実施するための形態】
【００２８】
以下、添付した図面を参照して、本発明の実施形態に係るコネクタ引抜方法およびこれに用いるコネクタ引抜治具を説明する。
【００２９】
まず、図１を参照して、本コネクタ引抜方法に使用するコネクタ引抜治具を説明する。
【００３０】
図１において、２０はコネクタ引抜治具である。コネクタ引抜治具２０は、治具本体２１と、治具本体２１の下面の雄ねじ部２２とを有する。治具本体２１は、平面視矩形の上部２１ａと、平面視円形の下部２１ｂとからなる。
【００３１】
図２において、３０は、コネクタ引抜治具２０の雄ねじ部２２を袋ナット２の雌ねじ部１０にねじ込む際に用いる操作治具である。
【００３２】
操作治具３０は、中央に平面視矩形の装着穴３１と、この装着穴３１の左右に延びる一対の操作レバー３２とを有する。
【００３３】
図３に示すように、回転治具３０の装着穴３１にコネクタ引抜治具２０の上部２１ａを嵌入し、操作治具３０の両側の操作レバー３２を矢印方向に回転させると、コネクタ引抜治具２０を小さい力で回転させてコネクタ引抜治具２０の雄ねじ部２２を袋ナット２の雌ねじ部１０にねじ込むことができる。
【００３４】
コネクタ引抜治具２０の下部２１ｂが平面視円形になっているのは、操作治具３０をコネクタ引抜治具２０の上部２１ａに嵌入しても、操作治具３０がコネクタ引抜治具２０から下方に抜け出ないようにするためである。なお、操作治具３０の形状は、上記に限らず、回転操作できるものであれば、特に限定されず、例えばスパナやモンキーレンチ等のものでもよい。
【００３５】
図４以降を参照して、コネクタ引抜治具２０を用いたコネクタ引抜方法を説明する。なお、図４以降に示す同軸ケーブル１および袋ナット２は、図１３で説明したので、説明の重複を避けるため、対応する部分には同一の符号を付し、その詳細は省略する。
【００３６】
まず、図４に示すように、袋ナット２の引き抜きの準備として、コネクタ引抜治具２０を、同軸ケーブル１の端部に外嵌された袋ナット２の上方に配置する。
【００３７】
図４においては、袋ナット２は、雌型コネクタとして、その内周面に、軸方向一端側の雌ねじ部１０と、この雌ねじ部１０より軸方向他端側に半径方向内方に突出する環状突起７と、この環状突起７よりさらに軸方向他端側の内周面部１２とが形成されている。
【００３８】
同軸ケーブル１は、外部導体５および中心導体３の各端部が外部に露出されている。外部導体５の端部５ａは、袋ナット２の環状突起７の上面７ｂに半径方向外向きに押し広げられて係合している。袋ナット２の内周面部１２は、同軸ケーブル１の端部外周面部１３に外嵌装着されている。同軸ケーブル１の中心導体３の上端面３ａは、袋ナット２の環状突起７よりも軸方向上側に突出している。
【００３９】
次いで、図５に示すように、コネクタ引抜治具２０の雄ねじ部２２を袋ナット２の雌ねじ部１０に螺合させて、コネクタ引抜治具２０を矢印Ａの方向に袋ナット２の雌ねじ部１０にねじ込んでいく。
【００４０】
次いで、このねじ込みで、図６に示すように、コネクタ引抜治具２０の雄ねじ部２２の下端面２３は、同軸ケーブル１の中心導体３の上端面３ａに当接する。
【００４１】
前記当接した以降も、コネクタ引抜治具２０を矢印Ｂの方向にねじ込んでいく。そうすると、袋ナット２は、コネクタ引抜治具２０に対して仮想線で示す位置Ｐ１、Ｐ２、Ｐ３へと矢印Ｃの方向に相対的に接近する。
【００４２】
この接近に伴い、図６中、仮想線で囲む部分を円Ｄ内で拡大して示すように、袋ナット２の環状突起７は仮想線で示す位置Ｐ４，Ｐ５，Ｐ６へ軸方向上方に移動する。
【００４３】
その結果、環状突起７の上面７ｂに押し広げられて係合していた外部導体５の端部５ａは、環状突起７によって、軸方向上方に押されて、仮想線５ａ´、５ａ´´で示すように、矢印Ｅの方向である半径方向内方に起き上がらせられる。外部導体５の端部５ａが仮想線５ａ´´の位置に折り畳まれた状態では、外部導体５の端部５ａは、環状突起７よりも半径方向内側に位置している。この状態を、図７に示す。
【００４４】
そして、図７の状態から、コネクタ引抜治具２０の袋ナット２に対するねじ込みをさらに継続すると、図８に示すように、袋ナット２は、同軸ケーブル１から引き抜かれる。
【００４５】
以上説明したように、本実施形態によれば、コネクタ引抜治具２０を同軸ケーブル１の端部上方に配置して引き抜きの準備をする第１の工程と、コネクタ引抜治具２０の雄ねじ部２２を袋ナット２の雌ねじ部１０にねじ込んでいく第２の工程と、このねじ込みによって、コネクタ引抜治具２０の雄ねじ部２２の下端面２３が同軸ケーブル１の中心導体３の上端面３ａに当接すると、その当接以降も前記ねじ込みを継続して、中心導体３を前記ねじ込みの方向に押し込む第３の工程と、前記ねじ込みの方向への中心導体３の押し込みで、袋ナット２をコネクタ引抜治具２０に相対的に接近させて、環状突起７により外部導体５の端部５ａを環状突起７よりも半径方向内側に折り畳む第４の工程と、前記折り畳み後も、前記ねじ込みを継続することによって、袋ナット２を同軸ケーブル１の端部から引き抜く第５の工程と、を具備するので、袋ナット２の雌ねじ部１０を傷つけることなく、袋ナット２を同軸ケーブル１の端部から容易かつ簡単に引き抜くことができる。
【００４６】
図９、図１０を参照して、本発明の他の実施形態を説明すると、コネクタ引抜治具２０は、その雄ねじ部２２の下端面２３に、中心導体３の中心穴３ｂに挿入できる突起部２４が形成されている。
【００４７】
そして、第１の工程で、コネクタ引抜治具２０を同軸ケーブル１の端部に外嵌された袋ナット２の上方に配置し、第２の工程で、コネクタ引抜治具２０の雄ねじ部２２を矢印Ｆの方向に袋ナット２の雌ねじ部１０にねじ込んでいくと、袋ナット２の突起部２４が同軸ケーブル１の中心導体３の中心穴３ｂに挿入される。
【００４８】
そのため、第２の工程で、コネクタ引抜治具２０の雄ねじ部２２の下端面２３が中心導体３の上端面３ａに当接した以降、第３の工程で同軸ケーブル１の中心導体３が、コネクタ引抜治具２０の雄ねじ部２２の下端面２３によって押し込まれていく際に、中心導体３はその軸方向姿勢を安定に維持することができる。
【００４９】
その結果、コネクタ引抜治具２０を第４の工程で袋ナット２をコネクタ引抜治具２０に相対的に接近させて、環状突起７により外部導体５の端部５ａを環状突起７よりも半径方向内方の位置に折り畳むことができる。
【００５０】
図１１、図１２を参照して、本発明のさらに他の実施形態を説明すると、コネクタ引抜治具２０は、その雄ねじ部２２の下端面２３に、中心導体３の外径と等しいか少し大きい内径を有する中空部２５ａを備えた突起部２５が形成されている。
【００５１】
そして、第１の工程で、コネクタ引抜治具２０を同軸ケーブル１の端部上方に配置し、第２の工程で、コネクタ引抜治具２０の雄ねじ部２２を矢印Ｇの方向に袋ナット２の雌ねじ部１０にねじ込んでいくと、同軸ケーブル１の中心導体３は袋ナット２の突起部２５の中空部２５ａに挿入される。
【００５２】
そのため、第２の工程で、コネクタ引抜治具２０の雄ねじ部２２の下端面２３が中心導体３の上端面３ａに当接した以降も、第３の工程で同軸ケーブル１の中心導体３が、コネクタ引抜治具２０の雄ねじ部２２の下端面２３によって押し込まれていく際に、中心導体３はその軸方向姿勢を安定に維持することができる。
【００５３】
その結果、コネクタ引抜治具２０を第４の工程で袋ナット２をコネクタ引抜治具２０に相対的に接近させて、環状突起７により外部導体５の端部５ａを環状突起７よりも半径方向内方の位置に折り畳むことができる。
【００５４】
本発明は、上記実施形態に限定されるものではなく、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００５５】
１  同軸ケーブル
２  袋ナット
３  中心導体
３ａ  中心導体３の上端面
４  絶縁体
５  外部導体
５ａ  外部導体５の端部
６  絶縁外皮
７  袋ナット２の環状突起
７ａ  環状突起７の下面
７ｂ  環状突起７の上面
８  シールリング
１０  袋ナット２の雌ねじ部
１２  袋ナット２の内周面部
１３  同軸ケーブル１の端部外周面部
２０  コネクタ引抜治具
２１  コネクタ引抜治具２０の治具本体
２２  コネクタ引抜治具２０の雄ねじ部
２３  雄ねじ部２２の下端面
【図１】
0006366541.tif 000002
【図２】
0006366541.tif 000003
【図３】
0006366541.tif 000004
【図４】
0006366541.tif 000005
【図５】
0006366541.tif 000006
【図６】
0006366541.tif 000007
【図７】
0006366541.tif 000008
【図８】
0006366541.tif 000009
【図９】
0006366541.tif 000010
【図１０】
0006366541.tif 000011
【図１１】
0006366541.tif 000012
【図１２】
0006366541.tif 000013
【図１３】
0006366541.tif 000014